(57)【要約】【課題】ユーザ毎に、ユーザの状況に応じた献立を提案する。【解決手段】献立提案装置は、ＤＮＡに含まれる塩基配列の出現パターンであるＤＮＡ情報に基づいて分類された複数のＤＮＡ型のうち、献立生成対象のユーザである対象ユーザのＤＮＡ型を特定するＤＮＡ型特定情報を取得するＤＮＡ型特定情報取得部と、ＤＮＡ型と、ユーザに提案される食事の献立に関する献立関連情報との対応関係を示す献立情報を取得する献立情報取得部と、ＤＮＡ型特定情報取得部が取得する対象ユーザのＤＮＡ型を特定するＤＮＡ型特定情報と、献立情報取得部が取得する献立情報とに基づいて、対象ユーザに提案される献立を示す提案献立情報を生成する提案献立情報生成部と、提案献立情報生成部が生成する提案献立情報を提示する提示部とを備える。【選択図】図３
2020184188.tif 000002
【特許請求の範囲】
【請求項１】
ＤＮＡに含まれる塩基配列の出現パターンであるＤＮＡ情報に基づいて分類された複数のＤＮＡ型のうち、献立生成対象のユーザである対象ユーザの前記ＤＮＡ型を特定するＤＮＡ型特定情報を取得するＤＮＡ型特定情報取得部と、
前記ＤＮＡ型と、ユーザに提案される食事の献立に関する献立関連情報との対応関係を示す献立情報を取得する献立情報取得部と、
前記ＤＮＡ型特定情報取得部が取得する前記対象ユーザの前記ＤＮＡ型を特定するＤＮＡ型特定情報と、前記献立情報取得部が取得する前記献立情報とに基づいて、前記対象ユーザに提案される献立を示す提案献立情報を生成する提案献立情報生成部と、
前記提案献立情報生成部が生成する前記提案献立情報を提示する提示部と、
を備える献立提案装置。
【請求項２】
ユーザの識別情報と、当該ユーザの前記ＤＮＡ型を示す情報との対応関係を前記ＤＮＡ型特定情報として記憶するＤＮＡ型特定情報記憶部と、
前記対象ユーザの前記識別情報を取得する識別情報取得部と、
を備え、
前記ＤＮＡ型特定情報取得部は、前記識別情報取得部が取得する前記識別情報に基づいて前記ＤＮＡ型特定情報記憶部から前記対象ユーザの前記ＤＮＡ型特定情報を取得する
請求項１に記載の献立提案装置。
【請求項３】
前記ＤＮＡ情報を取得するＤＮＡ情報取得部と、
前記ＤＮＡ情報取得部が取得したユーザの前記ＤＮＡ情報と、所定の分類ルールとに基づいて、当該ユーザのＤＮＡに含まれる塩基配列の出現パターンを複数のＤＮＡ型のうちいずれかのＤＮＡ型に分類する分類部と、
を備え、
前記ＤＮＡ型特定情報記憶部は、ユーザの前記識別情報と、前記分類部が当該ユーザのＤＮＡ型として分類した前記ＤＮＡ型とを対応付けて記憶する
請求項２に記載の献立提案装置。
【請求項４】
ユーザの献立の指針を示す目標情報と、前記ＤＮＡ型と、前記献立関連情報との対応関係を前記献立情報として記憶する献立情報記憶部と、
前記対象ユーザの前記目標情報を取得する目標情報取得部と、
を備え、
前記提案献立情報生成部は、前記ＤＮＡ型特定情報取得部が取得する前記対象ユーザの前記ＤＮＡ型を特定する前記ＤＮＡ型特定情報と、前記献立情報取得部が取得する前記献立情報と、前記目標情報取得部が取得する前記対象ユーザの前記目標情報とに基づいて、前記対象ユーザに提案される献立を示す前記提案献立情報を生成する
請求項１から請求項３のいずれか一項に記載の献立提案装置。
【請求項５】
前記献立関連情報とは、ユーザに提案される食事の献立名を示す情報であり、
前記献立情報取得部は、前記ＤＮＡ型と前記献立関連情報が示す献立名との対応関係を示す前記献立情報を取得し、
前記提案献立情報生成部は、前記ＤＮＡ型特定情報と、前記献立情報が示す献立名とに基づいて、献立名を含む前記提案献立情報を生成し、
前記提示部は、前記提案献立情報生成部が生成する前記提案献立情報が示す献立名を提示する
請求項１から請求項４のいずれか一項に記載の献立提案装置。
【請求項６】
コンピュータに、
ＤＮＡに含まれる塩基配列の出現パターンであるＤＮＡ情報に基づいて分類された複数のＤＮＡ型のうち、対象ユーザの前記ＤＮＡ型を特定するＤＮＡ型特定情報を取得するＤＮＡ型特定情報取得ステップと、
前記ＤＮＡ型と、ユーザに提案される食事の献立に関する献立関連情報との対応関係を示す献立情報を取得する献立情報取得ステップと、
前記ＤＮＡ型特定情報取得ステップにより取得された前記対象ユーザの前記ＤＮＡ型を特定するＤＮＡ型特定情報と、前記献立情報取得ステップにより取得された前記献立情報とに基づいて、前記対象ユーザに提案される献立を示す提案献立情報を生成する提案献立情報生成ステップと、
前記提案献立情報生成ステップにより生成された前記提案献立情報を提示する提示ステップと、
を実行させるための献立提案プログラム。
【請求項７】
請求項１から請求項５のいずれか一項に記載の献立提案装置と、
前記献立提案装置が提示する前記提案献立情報に基づいて料理を提供する料理提供装置と、
を備える献立提案システム。
【発明の詳細な説明】
【技術分野】
【０００１】
本発明は、献立提案装置、献立提案プログラムおよび献立提案システムに関する。
【背景技術】
【０００２】
従来、日々の食事を選択する際に、必要な栄養素をバランスよく摂取したいという要望が多数あった。その要望を満たすため、これまでに様々な献立提案システムが考案されてきた。ユーザの負担を軽減し、バランスの良い献立を提案する方法の一つとして、食材の情報がメニューに関連付けて保存され、ユーザの指示によりバランスの良い献立を提案するシステムがあった。（例えば、特許文献１参照）
【先行技術文献】
【特許文献】
【０００３】
【特許文献１】特開２０１２−２０３８３４号公報
【発明の概要】
【発明が解決しようとする課題】
【０００４】
しかしながら、必要な栄養素の要求は個人の体質に影響されることが知られている。摂取したエネルギーの消化吸収率には個人差があり、例えばカフェインや糖質等に対する耐性は個人差があることが知られている。したがってその献立が、あるユーザにはバランスの取れた栄養素が含まれた献立であったとしても、他のあるユーザに対しては必要な栄養素が欠けているという可能性がある。
【０００５】
さらに、ユーザ毎に日々の食事の指針は様々である。例えば健康維持を目標とするユーザと、アスリートを目標とするユーザの必要栄養素は、同一とは言えない。アスリートの中でも、マラソンのように持久力を必要とする種目のアスリートと、野球選手のように瞬発力を必要とする競技のアスリートとでは、必要な栄養素は同一でない。
したがって、ユーザ毎に様々な目標があり、その目標毎に必要な栄養素や摂取量も異なるため、必要な栄養素を十分量摂取するための献立を提案する事は困難であった。つまり、上述したような従来の技術では、ユーザ毎に、ユーザの状況に応じた献立を提案することができないという問題があった。
【０００６】
本発明は、このような状況に鑑みてなされたものであり、ユーザ毎に、ユーザの状況に応じた献立を提案することができる献立提案装置を提供することを目的としている。
【課題を解決するための手段】
【０００７】
本発明の一態様に係る献立提案装置は、ＤＮＡに含まれる塩基配列の出現パターンであるＤＮＡ情報に基づいて分類された複数のＤＮＡ型のうち、献立生成対象のユーザである対象ユーザの前記ＤＮＡ型を特定するＤＮＡ型特定情報を取得するＤＮＡ型特定情報取得部と、前記ＤＮＡ型と、ユーザに提案される食事の献立に関する献立関連情報との対応関係を示す献立情報を取得する献立情報取得部と、前記ＤＮＡ型特定情報取得部が取得する前記対象ユーザの前記ＤＮＡ型を特定するＤＮＡ型特定情報と、前記献立情報取得部が取得する前記献立情報とに基づいて、前記対象ユーザに提案される献立を示す提案献立情報を生成する提案献立情報生成部と、前記提案献立情報生成部が生成する前記提案献立情報を提示する提示部とを備える。
【０００８】
また、本発明の一態様に係る献立提案装置は、ユーザの識別情報と、当該ユーザの前記ＤＮＡ型を示す情報との対応関係を前記ＤＮＡ型特定情報として記憶するＤＮＡ型特定情報記憶部と、前記対象ユーザの前記識別情報を取得する識別情報取得部と、を備え、前記ＤＮＡ型特定情報取得部は、前記識別情報取得部が取得する前記識別情報に基づいて前記ＤＮＡ型特定情報記憶部から前記対象ユーザの前記ＤＮＡ型特定情報を取得する。
【０００９】
また、本発明の一態様に係る献立提案装置は、前記ＤＮＡ情報を取得するＤＮＡ情報取得部と、前記ＤＮＡ情報取得部が取得したユーザの前記ＤＮＡ情報と、所定の分類ルールとに基づいて、当該ユーザのＤＮＡに含まれる塩基配列の出現パターンを複数のＤＮＡ型のうちいずれかのＤＮＡ型に分類する分類部と、を備え、前記ＤＮＡ型特定情報記憶部は、ユーザの前記識別情報と、前記分類部が当該ユーザのＤＮＡ型として分類した前記ＤＮＡ型とを対応付けて記憶する。
【００１０】
また、本発明の一態様に係る献立提案装置は、ユーザの献立の指針を示す目標情報と、前記ＤＮＡ型と、前記献立関連情報との対応関係を前記献立情報として記憶する献立情報記憶部と、前記対象ユーザの前記目標情報を取得する目標情報取得部と、を備え、前記提案献立情報生成部は、前記ＤＮＡ型特定情報取得部が取得する前記対象ユーザの前記ＤＮＡ型を特定する前記ＤＮＡ型特定情報と、前記献立情報取得部が取得する前記献立情報と、前記目標情報取得部が取得する前記対象ユーザの前記目標情報とに基づいて、前記対象ユーザに提案される献立を示す前記提案献立情報を生成する。
【００１１】
また、本発明の一態様に係る献立提案装置において、前記献立関連情報とは、ユーザに提案される食事の献立名を示す情報であり、前記献立情報取得部は、前記ＤＮＡ型と前記献立関連情報が示す献立名との対応関係を示す前記献立情報を取得し、前記提案献立情報生成部は、前記ＤＮＡ型特定情報と、前記献立情報が示す献立名とに基づいて、献立名を含む前記提案献立情報を生成し、前記提示部は、前記提案献立情報生成部が生成する前記提案献立情報が示す献立名を提示する。
【００１２】
また、本発明の一態様は、コンピュータに、ＤＮＡに含まれる塩基配列の出現パターンであるＤＮＡ情報に基づいて分類された複数のＤＮＡ型のうち、対象ユーザの前記ＤＮＡ型を特定するＤＮＡ型特定情報を取得するＤＮＡ型特定情報取得ステップと、前記ＤＮＡ型と、ユーザに提案される食事の献立に関する献立関連情報との対応関係を示す献立情報を取得する献立情報取得ステップと、前記ＤＮＡ型特定情報取得ステップにより取得された前記対象ユーザの前記ＤＮＡ型を特定するＤＮＡ型特定情報と、前記献立情報取得ステップにより取得された前記献立情報とに基づいて、前記対象ユーザに提案される献立を示す提案献立情報を生成する提案献立情報生成ステップと、前記提案献立情報生成ステップにより生成された前記提案献立情報を提示する提示ステップとを実行させるための献立提案プログラムである。
【００１３】
また、本発明の一態様は、前記献立提案装置と、前記献立提案装置が提示する前記提案献立情報に基づいて料理を提供する料理提供装置とを備える献立提案システムである。
【発明の効果】
【００１４】
本発明によれば、ユーザ毎に、ユーザの状況に応じた献立を提案することができる献立提案装置、献立提案プログラムおよび献立提案システムを提供できる。
【図面の簡単な説明】
【００１５】
【図１】実施形態における献立提案装置の実施例を示す図である。
【図２】実施形態における献立提案装置の他の実施例を示す図である。
【図３】実施形態における献立提案装置の機能構成の一例を示す図である。
【図４】実施形態におけるＤＮＡ情報の一例を示す図である。
【図５】実施形態における分類部の機能構成の一例を示す図である。
【図６】実施形態における分類データベースに記憶されるＤＮＡ型情報の一例を示す図である。
【図７】実施形態におけるユーザ情報生成部が生成するユーザ情報の一例を示す図である。
【図８】実施形態における献立情報の一例を示す図である。
【図９】実施形態における献立提案装置の動作の一例を示す図である。
【図１０】実施形態における献立提案システムの機能構成の一例を示す図である。
【図１１】実施形態における献立提案システムの動作の一例を示す図である。
【発明を実施するための形態】
【００１６】
以下、本発明の実施形態について、図面を参照しながら説明する。献立提案装置１には、一例として２通りの実施例がある。献立提案装置１の実施例について説明する。
【００１７】
［献立提案装置の実施例（１）  ユーザに献立を提示する場合］
図１は、実施形態における献立提案装置１の実施例を示す図である。本実施例の献立提案装置１は、献立の提案を要求するユーザ２に対して献立を提案する。
本実施例において、ユーザ２は、献立提案装置１に対して献立提案の要求を行う。献立提案装置１は、ユーザ２を識別して、識別したユーザ２に適した献立を抽出する。献立提案装置１は、抽出した献立をユーザ２に対して提示する。
ここで、ユーザ２に適した献立とは、例えば、ユーザ２のＤＮＡ型に応じた特定の栄養素が含まれる（又は特定の栄養素が含まれない）献立である。ここで、ＤＮＡ型とは、ユーザ２のＤＮＡ（deoxyribonucleic acid；デオキシリボ核酸）に含まれる塩基配列の出現パターンに基づいて分類される、ユーザ２の種類を示す情報である。
また例えば、ユーザ２に適した献立とは、ユーザ２の目標に応じた特定の栄養素が含まれる（又は特定の栄養素が含まれない）献立である。ここで、ユーザ２の目標とは、例えば、ユーザ２の食事による栄養管理の目標である。食事による栄養管理の目標には、例えば、特定の種類のスポーツ選手になることや、健康維持などが含まれる。
同図に示す一例の場合、献立提案装置１は、例えばスポーツジム等に備えられる。この場合、ユーザ２とは、スポーツジムの会員等である。献立提案装置１は、ユーザ２のトレーニング目標に応じた献立を提案する。
【００１８】
［献立提案装置の実施例（２）  ユーザに料理を提供する場合］
図２は、実施形態における献立提案装置１の他の実施例を示す図である。本実施例の場合、献立提案装置１と料理提供装置３とが組み合わされ、献立提案システムとして機能する。
本実施例において、ユーザ２は、献立提案装置１に対して献立提案の要求を行う。献立提案装置１は、ユーザ２を識別して、識別したユーザ２に適した献立を抽出する。ここで、本実施例の献立提案装置１は、上述した実施例（１）とは異なり、抽出した献立の情報を料理提供装置３に供給する。
料理提供装置３は、献立提案装置１から献立情報が供給されると、献立情報に基づいた料理をユーザ２に対して提供する。例えば、料理提供装置３は、複数の種類の調理済み料理のうち、献立情報が示す種類の料理を選択してユーザ２に提供する装置であってもよい。また、料理提供装置３は、献立情報が示す種類の料理を調理する装置であってもよい。
【００１９】
なお、献立提案装置１及び料理提供装置３は、ビタミンドリンクやプロテインバーなどの栄養補助食品の自動販売機として構成されていてもよい。
【００２０】
[献立提案装置１の機能構成]
次に、献立提案装置１の機能構成の一例について説明する。
図３は、実施形態における献立提案装置１の機能構成の一例を示す図である。献立提案装置１は、献立管理部１００と、ユーザ情報管理部２００とを備える。まず、ユーザ情報管理部２００の機能構成について説明し、次に、献立管理部１００の機能構成について説明する。
【００２１】
［ユーザ情報管理部の機能構成］
ユーザ情報管理部２００は、ユーザ情報データベース２０１と、ユーザ情報生成部２０２と、分類部２０３と、ユーザ情報取得部２０４とを備える。
ユーザ情報取得部２０４は、ＤＮＡ情報取得部２０４１と、目標情報取得部２０４２とを備える。
【００２２】
ＤＮＡ情報取得部２０４１は、ＤＮＡ情報ＤＤを取得する。本実施形態の一例において、ＤＮＡ情報取得部２０４１は、分析装置４に接続され、分析装置４からＤＮＡ情報ＤＤを取得する。
分析装置４とは、一例として、ユーザ２の唾液や血液などから摂取したＤＮＡを分析する装置である。ここで、ＤＮＡの分析には、ＤＮＡの塩基配列の出現パターンが示す、所定因子に対するユーザ２の反応の強度を分析することを含む。分析装置４は、ユーザ２のＤＮＡの塩基配列の出現パターンを解析した結果を、ＤＮＡ情報ＤＤとして出力する。このＤＮＡ情報ＤＤには、ユーザ２のＤＮＡの塩基配列の出現パターンが示す、所定因子に対するユーザ２の反応の強度を示す情報が含まれる。
【００２３】
所定因子に対するユーザ２の反応の強度とは、例えば、ある栄養素に対するユーザ２の耐性や感受性の程度である。従来、ＤＮＡの塩基配列の出現パターンと、カフェイン、糖質、脂質、塩分、及び食事の熱量等に対する耐性や感受性（例えば、ある栄養素の吸収のしやすさ、又はしにくさ）の程度とが対応することが知られている。また、ＤＮＡの塩基配列の出現パターンと、筋肉の付きやすさ（又は、付きにくさ）や、付きやすい筋肉の種類（例えば、遅筋が付きやすいのか、速筋が付きやすいのか）などとが対応することが知られている。したがって、あるユーザ２のＤＮＡ情報ＤＤを取得することにより、そのユーザ２がどのような種類のスポーツに向いているのかといった情報や、そのユーザ２がどのような栄養素を吸収しやすい（又は、吸収しにくい）のかといった情報を得ることができる。
【００２４】
図４は、本実施形態におけるＤＮＡ情報ＤＤの一例を示す図である。ＤＮＡ情報ＤＤには、カフェイン、糖質、脂質、塩分、及び食事の熱量等に対する耐性や感受性の程度（つまり、所定因子に対する反応の強度）を示す情報が含まれる。この一例では、ＤＮＡ情報ＤＤは、所定因子ごとに、反応の強度を９段階にして示す。
同図に示す具体例では、糖質に対する強度が比較的強く、脂質に対する強度と塩分に対する強度が比較的弱い。
【００２５】
なお、分析装置４が出力するＤＮＡ情報ＤＤの形態は限定されない。例えば、分析装置４は、無線通信又は有線通信によってＤＮＡ情報ＤＤを出力してもよい。
【００２６】
図３に戻り、ＤＮＡ情報取得部２０４１は、分析装置４から取得したＤＮＡ情報ＤＤを、分類部２０３に出力する。
【００２７】
分類部２０３は、ＤＮＡ情報取得部２０４１が出力するＤＮＡ情報ＤＤに基づいて、ユーザ２を分類する。ユーザ２を分類するとは、ユーザ２のＤＮＡに含まれる塩基配列の出現パターンを、複数の種類（すなわち、ＤＮＡ型）にグループ分けすることである。
一例として、分類部２０３は、ＤＮＡ情報ＤＤが示す塩基配列の出現パターンを、所定の分類ルールに基づいて分類する。すなわち、分類部２０３は、ＤＮＡ情報取得部２０４１が出力するＤＮＡ情報ＤＤと、所定の分類ルールとに基づいて、ユーザ２のＤＮＡに含まれる塩基配列の出現パターンを、いずれかのＤＮＡ型に分類する。ＤＮＡ型は、分類データベース２０３１に記憶されている。
ＤＮＡ型には、一例として、１型〜３２型の３２種類がある。この場合、分類部２０３は、ユーザ２のＤＮＡに含まれる塩基配列のさまざまな出現パターンを、３２種類のＤＮＡ型に分類する。図５を参照して、分類部２０３の機能構成の詳細について説明する。
【００２８】
図５は、実施形態における分類部２０３の機能構成の一例を示す図である。分類部２０３は、分類データベース２０３１と、分類判定部２０３２とを備える。
分類データベース２０３１には、上述したＤＮＡ型情報が記憶されている。
分類判定部２０３２は、ＤＮＡ情報取得部２０４１が取得したＤＮＡ情報ＤＤが示す所定因子に対する強度の程度情報と、分類データベース２０３１に格納されているＤＮＡ型情報とに基づいて、ユーザ２のＤＮＡ型を分類する。
【００２９】
図６は、実施形態における分類データベース２０３１に記憶されるＤＮＡ型情報の一例を示す図である。この図に示すように、分類データベースには、各因子の強度の組み合わせが、複数のＤＮＡ型に分類されて記憶されている。例えば、分類データベースには、因子の強度について“速筋”が３、“遅筋”が２、“カフェイン”が６、“糖質”が１、“脂質”が１、“塩分”が８、“カロリー”が９、…である組み合わせが、ＤＮＡ型“１型”に分類されて記憶されている。同様に、分類データベースには、因子の強度について“速筋”が２、“遅筋”が５、“カフェイン”が６、“糖質”が１、“脂質”が１、“塩分”が９、“カロリー”が８、…である組み合わせが、ＤＮＡ型“２型”に分類されて記憶されている。
例えば、ＤＮＡ型“２型”に分類されたＤＮＡの塩基配列の出現パターンを持つユーザ２は、脂質に対する耐性が比較的弱く、塩分に対する耐性が比較的強いことが示される。
【００３０】
図５に戻り、分類判定部２０３２は、ユーザ２のＤＮＡ型の分類結果を、分類情報ＤＣとして出力する。すなわち、分類部２０３は、ＤＮＡ情報ＤＤに基づいて、分類情報ＤＣを生成する。
【００３１】
図３に戻り、分類部２０３は、ユーザ２のＤＮＡ型の分類結果である分類情報ＤＣを、ユーザ情報生成部２０２に出力する。
【００３２】
目標情報取得部２０４２は、ユーザ２の目標情報ＤＴを取得する。本実施形態の目標情報取得部２０４２は、操作デバイス５に接続され、操作デバイス５から目標情報ＤＴを取得する。
操作デバイス５には、マウス、キーボード、音声認識装置等の汎用ユーザインタフェース、又は専用のボタン等を備えるユーザインタフェースなどが含まれる。操作デバイス５は、ユーザ２による目標設定操作を検出し、検出した操作に応じた情報を目標情報ＤＴとして目標情報取得部２０４２に対して出力する。
【００３３】
ここで、目標情報ＤＴとは、ユーザ２の目標を示す情報である。上述したように、ユーザ２の目標には、特定の種類のスポーツ選手になることや健康維持などが含まれる。ＤＮＡの塩基配列の出現パターンが相互に類似するユーザ２であったとしても、目標が互いに異なれば、ユーザ２にとって適する献立は異なる場合がある。例えば、野球選手を目標とするユーザ向けの献立と、マラソン選手を目標とするユーザ向けの献立と、健康維持を目標とするユーザ向けの献立とでは、必要な栄養素及び必要な栄養素の摂取量は同一でない場合がある。したがって、ユーザ情報管理部２００は、ユーザ２毎に、ユーザ２の目標を取得することにより、それぞれのユーザ２にとって適する献立の提案を可能にする。
目標情報取得部２０４２は、取得した目標情報ＤＴをユーザ情報生成部２０２に出力する。
【００３４】
なお、上述したＤＮＡ情報ＤＤ及び目標情報ＤＴを総称して、献立指針決定情報ＤＤＴともいう。ＤＮＡ情報ＤＤ及び目標情報ＤＴのことを献立指針決定情報ＤＤＴと総称した場合には、ユーザ情報取得部２０４は、他の装置（例えば、分析装置４及び操作デバイス５）から献立指針決定情報ＤＤＴを取得するともいえる。ユーザ情報取得部２０４は、取得した献立指針決定情報ＤＤＴをユーザ情報として利用する。
【００３５】
次に、ユーザ情報生成部２０２について説明する。ユーザ情報生成部２０２は、目標情報取得部２０４２が取得した目標情報ＤＴと、分類部２０３が生成した分類情報ＤＣとに基づいて、ユーザ情報ＤＵを生成する。ユーザ情報生成部２０２が生成するユーザ情報ＤＵの一例について、図７を参照して説明する。
【００３６】
図７は、実施形態におけるユーザ情報生成部２０２が生成するユーザ情報ＤＵの一例を示す図である。この図で示すように、ユーザ情報ＤＵとは、ユーザ名と、分類情報ＤＣと、目標情報ＤＴとが互いに対応付けられた情報である。ユーザ名とは、ユーザ識別情報ＵＩＤの一例であり、ユーザ２を識別する情報である。なお、ユーザ情報ＤＵは、ユーザ名に代えて（又は、ユーザ名に加えて）、ユーザ２を識別する識別子（例えば、ユーザ２に固有に割り当てられた数字や記号を含む情報）を含んでいてもよい。
なお、本実施形態におけるユーザ情報ＤＵには、ユーザ名と、分類情報ＤＣと、目標情報ＤＴとが含まれるが、この限りではない。ユーザ情報ＤＵには、ユーザの体重、身長、血液型、食の好み、及びアレルギー反応が生じる物質等の情報を含んでいてもよい。
【００３７】
図３に戻り、ユーザ情報データベース２０１は、ユーザ情報生成部２０２が生成したユーザ情報ＤＵを記憶する。上述したようにユーザ情報ＤＵには、分類情報ＤＣが含まれる。この分類情報ＤＣとは、ユーザ２毎のＤＮＡ型を示す情報である。
ユーザ情報データベース２０１は、ＤＮＡ型特定情報記憶部であるともいえる。この場合、ＤＮＡ型特定情報記憶部（例えば、ユーザ情報データベース２０１）は、ユーザ２の識別情報であるユーザ識別情報ＵＩＤと、ユーザのＤＮＡ型を示す分類情報ＤＣとの対応関係をＤＮＡ型特定情報として記憶する。
ユーザ情報データベース２０１は、献立管理部１００の要求に応じて、ユーザ情報ＤＵを献立管理部１００に供給する。
【００３８】
換言すれば、ＤＮＡ型特定情報記憶部（例えば、ユーザ情報データベース２０１）は、ユーザ２の識別情報（例えば、ユーザの氏名や識別子）と、ユーザ２のＤＮＡ型とを対応付けて記憶する。
【００３９】
[献立管理部１００の機能構成]
次に、献立管理部１００について説明する。献立管理部１００は、ユーザインタフェース部１０１と、献立選択部１０２と、献立データベース１０３とを備える。
ユーザインタフェース部１０１は、要求取得部１０１１と、提示部１０１２とを備える。
【００４０】
要求取得部１０１１は、ユーザ２による要求を取得する。ユーザ２による要求には、献立管理部１００に対する献立提案の要求が含まれる。
なお、以下の説明において、献立管理部１００に対して献立提案の要求を行うユーザ２を、対象ユーザとも記載する。すなわち、対象ユーザとは、ユーザ２のうち、献立生成対象のユーザ２である。要求取得部１０１１は、この対象ユーザによる献立提案の要求を取得する。
【００４１】
ここで、要求取得部１０１１が献立提案の要求を取得する手段には、種々の形式がある。例えば、ユーザ２がユーザ識別カードを所持する場合がある。この場合、要求取得部１０１１は、カードリーダを備えており、ユーザ２が所持するカードの情報を読み取ることにより献立提案の要求を取得するものとして構成されていてもよい。この一例の場合には、要求取得部１０１１は、カードからユーザ識別情報ＵＩＤを取得してもよい。要求取得部１０１１は、取得したユーザ識別情報ＵＩＤを、ユーザ２による献立提案の要求として献立選択部１０２に出力する。
なお、要求取得部１０１１は、顔認証、指紋認証、又は網膜認証などの既知の機能によってユーザ２を識別してもよい。この場合、要求取得部１０１１は、顔認証、指紋認証、又は網膜認証などの既知の機能によってユーザ２を識別すると、ユーザ２のユーザ識別情報ＵＩＤを、ユーザ２による献立提案の要求として献立選択部１０２に出力する。
【００４２】
すなわち、要求取得部１０１１は、対象ユーザのユーザ識別情報ＵＩＤを取得する識別情報取得部としても機能する。
【００４３】
献立選択部１０２は、要求取得部１０１１が出力するユーザ識別情報ＵＩＤを取得する。献立選択部１０２は、ユーザ識別情報ＵＩＤを取得すると、取得したユーザ識別情報ＵＩＤを検索キーにして、ユーザ情報データベース２０１に記憶されているユーザ情報ＤＵを検索する。献立選択部１０２は、検索の結果得られたユーザ情報ＤＵを、献立提案の要求を行ったユーザ２のユーザ情報ＤＵとして取得する。献立選択部１０２が献立選択部１０２から取得したユーザ情報ＤＵには、分類情報ＤＣと目標情報ＤＴとが含まれる。
献立選択部１０２は、取得したユーザ情報ＤＵに含まれる分類情報ＤＣ及び目標情報ＤＴを検索キーにして、献立データベース１０３に記憶されている献立情報ＤＭを検索する。この献立データベース１０３に記憶されている献立情報ＤＭの一例について、図８を参照して説明する。
【００４４】
図８は、実施形態における献立情報ＤＭの一例を示す図である。献立データベース１０３には、分類情報ＤＣと、目標情報ＤＴと、食事の献立名とが対応付けられて、献立情報ＤＭとして記憶されている。一例として、献立データベース１０３には、分類情報ＤＣについて”１型”と、目標情報ＤＴについて”野球選手”と、食事の献立名について”唐揚げ定食”とが対応付けられて、献立情報ＤＭとして記憶されている。
【００４５】
ここで、献立情報ＤＭとは、献立関連情報の一例である。献立関連情報には、ユーザ２に提案される食事の献立名を示す情報が含まれている。一例として、献立関連情報とは、ユーザ２に提供される食事の献立名を示す情報である。
【００４６】
なお、献立情報ＤＭには、各献立の熱量（カロリー）や栄養成分などの情報が含まれていてもよい。また「食事の献立名」のことを「料理の献立名」と称してもよい。
【００４７】
この献立データベース１０３には、分類情報ＤＣ及び目標情報ＤＴの組合せごとに、複数の食事の献立名が対応付けられて記憶されていてもよい。例えば、献立データベース１０３には、分類情報ＤＣ”１型”と、目標情報ＤＴ”野球選手”と、献立１”唐揚げ定食”、献立２”ステーキ”及び献立３”かつカレー”とが対応付けられて献立情報ＤＭとして記憶されていてもよい。
【００４８】
ここで、分類情報ＤＣとは、ＤＮＡ型を示す情報である。目標情報ＤＴとは、ユーザ２の献立の指針を示す情報である。また、ここでいう献立情報ＤＭとは、ユーザ２に提案される食事の献立に関する献立関連情報である。献立データベース１０３（献立情報記憶部）は、ユーザ２の献立の指針を示す目標情報ＤＴと、ＤＮＡ型と、献立関連情報との対応関係を献立情報ＤＭとして記憶する。
【００４９】
図３に戻り、献立選択部１０２は、検索の結果得られた献立情報ＤＭを、献立提案の要求を行ったユーザ２の献立情報ＤＭとして取得する。献立選択部１０２は、献立データベース１０３から取得した献立情報ＤＭを、提示部１０１２に供給する。
【００５０】
提示部１０１２は、例えば、液晶ディスプレイを備えており、献立選択部１０２から供給される献立情報ＤＭを液晶ディスプレイ表示することにより、この献立情報ＤＭをユーザ２に対する提案献立情報として提示する。
【００５１】
なお、提示部１０１２は、例えば、サーマルプリンタ等のプリンタを備えており、献立情報ＤＭを印字することにより、この献立情報ＤＭをユーザ２に対する提案献立情報として提示するように構成されていてもよい。
また、提示部１０１２は、無線通信又は有線通信によって他の装置に対して献立情報ＤＭを送信することにより、この献立情報ＤＭをユーザ２に対する提案献立情報として提示するように構成されていてもよい。
【００５２】
なお、上述した各部の構成は、次のように説明することもできる。
献立選択部１０２は、要求取得部１０１１が取得するユーザ識別情報ＵＩＤに基づいて、ユーザ情報ＤＵを取得する。献立選択部１０２が取得するユーザ情報ＤＵには、対象ユーザのＤＮＡ型を特定する情報（すなわち、ＤＮＡ型特定情報）が含まれる。
献立選択部１０２は、献立生成対象のユーザ２である対象ユーザのＤＮＡ型を特定するＤＮＡ型特定情報を取得するＤＮＡ型特定情報取得部として機能する。
【００５３】
献立情報ＤＭとは、ユーザ２のＤＮＡ型と、ユーザ２に提案される食事の献立に関する献立関連情報との対応関係を示す情報である。
献立選択部１０２は、ユーザ２のＤＮＡ型と、ユーザ２に提案される食事の献立に関する献立関連情報との対応関係を示す献立情報ＤＭを取得する献立情報取得部として機能する。
また、献立選択部１０２は、ＤＮＡ型特定情報取得部（例えば、要求取得部１０１１）が取得する対象ユーザのＤＮＡ型を特定するＤＮＡ型特定情報と、献立情報取得部として機能することにより取得した献立情報ＤＭとに基づいて、対象ユーザに提案される献立を示す提案献立情報（例えば、献立情報ＤＭ）を生成する提案献立情報生成部として機能する。
【００５４】
なお、献立選択部１０２は、識別情報取得部（例えば、要求取得部１０１１）が取得する識別情報（例えば、ユーザ識別情報ＵＩＤ）に基づいて、ＤＮＡ型特定情報記憶部（例えば、ユーザ情報データベース２０１）から対象ユーザのＤＮＡ型特定情報を取得するＤＮＡ型特定情報取得部として機能する。
【００５５】
また、上述したように、ユーザ情報ＤＵには、ユーザ識別情報ＵＩＤと、分類情報ＤＣとに加えて、目標情報ＤＴが含まれている。献立選択部１０２は、ＤＮＡ型特定情報と、献立情報ＤＭと、対象ユーザの目標情報ＤＴとに基づいて、提案献立情報（例えば、献立情報ＤＭ）を生成する。
すなわち、提案献立情報生成部（例えば、献立選択部１０２）は、ＤＮＡ型特定情報取得部（例えば、要求取得部１０１１）が取得する対象ユーザのＤＮＡ型を特定するＤＮＡ型特定情報と、献立情報取得部として機能することにより取得した献立情報ＤＭとに基づいて、対象ユーザに提案される献立を示す提案献立情報（例えば、献立情報ＤＭ）を生成する。
【００５６】
提示部１０１２は、提案献立情報生成部（例えば、献立選択部１０２）が生成する提案献立情報（例えば、献立情報ＤＭ）を提示する提示部として機能する。
【００５７】
また、上述したように、献立関連情報には、ユーザ２に提案される食事の献立名を示す情報が含まれていてもよい。この場合、献立情報取得部（例えば、献立選択部１０２）は、ユーザ２のＤＮＡ型と、献立関連情報（例えば、献立情報ＤＭ）が示す献立名との対応関係を示す献立情報ＤＭを取得する。
またこの場合、提案献立情報生成部（例えば、献立選択部１０２）は、ＤＮＡ型特定情報と、献立情報ＤＭが示す献立名とに基づいて、献立名を含む提案献立情報（例えば、献立情報ＤＭ）を生成する。提示部（例えば、提示部１０１２）は、提案献立情報生成部（例えば、献立選択部１０２）が生成する提案献立情報（例えば、献立情報ＤＭ）が示す献立名を提示する。
【００５８】
なお、本実施形態の一例において、献立関連情報には、ユーザに提案される食事の献立名を示す情報が含まれるものとして説明したが、これに限られない。献立関連情報には、調理方法、材料及び分量等のレシピ情報が含まれていてもよい。また、献立関連情報には、主食、主菜、副菜及びデザートなどの組み合わせ（例えば、図8に示す酢豚定食、生姜焼き定食及び角煮定食など。）を表す情報が含まれていてもよい。
【００５９】
［献立提案装置１の動作］
以下、献立提案装置１の動作の一例について説明する。ここでは、上述した実施例（１）の場合の、献立提案装置１の動作の一例を説明する。
【００６０】
図９は、実施形態における献立提案装置１の動作の一例を示す図である。
（ステップＳ１０１）献立提案装置１は、ユーザ２による操作を待つ状態、すなわち待機状態である。待機状態において、献立提案装置１は、ユーザ２による操作を待つ。ユーザ２が要求取得部１０１１に対して献立提案の要求の操作を行うと、要求取得部１０１１は、ユーザ２による操作を検出する。
この一例においては、ユーザ２がユーザ識別カード（例えば、会員カード。不図示）を所持している。ユーザ２がユーザ識別カードを要求取得部１０１１が備えるカードリーダにかざすと、要求取得部１０１１は、ユーザ識別カードからユーザ２を識別する情報（ユーザ識別情報ＵＩＤ）を取得する。要求取得部１０１１は、ユーザ識別カードからユーザ識別情報ＵＩＤを取得したことを、ユーザ２による献立提案の要求の操作が行われたこととして、ユーザ２による操作を検出する。
要求取得部１０１１は、ステップＳ１０１において取得したユーザ２のユーザ識別情報ＵＩＤを、献立選択部１０２に出力する。以下の説明において、ステップＳ１０１において操作を行ったユーザ２のことを、対象ユーザとも記載する。
【００６１】
本実施形態の献立選択部１０２は、対象ユーザによる操作が、初回の操作であるか、２回目以降の操作であるかを判定する。献立選択部１０２は、対象ユーザによる操作が初回の操作である場合には、ユーザ登録処理を行った後に、献立の提案処理を行う。また、献立選択部１０２は、対象ユーザによる操作が２回目以降の操作である場合（すなわち、ユーザ登録が完了している場合）には、ユーザ登録処理を行わずに、献立の提案処理を行う。以下、献立選択部１０２の動作の具体例について説明する。
【００６２】
（ステップＳ１０２）献立選択部１０２は、対象ユーザによる操作が初回の操作であるか、２回目以降の操作であるかを判定する。
献立選択部１０２は、対象ユーザによる操作が２回目以降の操作であると判定した場合（すなわち、対象ユーザの初回情報が入力済みであり、ユーザ登録が完了している場合。）（ステップＳ１０２；ＹＥＳ）には、処理をステップＳ１０４に進める。
献立選択部１０２は、対象ユーザによる操作が初回の操作であると判定した場合（すなわち、対象ユーザの初回情報が入力済みでなく、ユーザ登録が完了していない場合。）（ステップＳ１０２；ＮＯ）には、処理をステップＳ１０３に進める。
【００６３】
（ステップＳ１０３）ユーザ情報管理部２００は、対象ユーザに対して、ユーザ登録（初回情報入力）を促し、対象ユーザのＤＮＡ情報ＤＤ及び目標情報ＤＴの提供を待つ。ユーザ情報管理部２００は、対象ユーザのＤＮＡ情報ＤＤ及び目標情報ＤＴが提供されると、提供されたＤＮＡ情報ＤＤ及び目標情報ＤＴに基づいてユーザ情報ＤＵを生成する。ユーザ情報ＤＵとは、対象ユーザのユーザ識別情報ＵＩＤと、ＤＮＡ情報ＤＤと、目標情報ＤＴとが対応づけられた情報である。すなわち、ユーザ情報管理部２００は、対象ユーザのユーザ識別情報ＵＩＤと、ＤＮＡ情報ＤＤと、目標情報ＤＴとを対応付けた情報を、対象ユーザのユーザ情報ＤＵとして生成する。ユーザ情報管理部２００は、生成したユーザ情報ＤＵを、対象ユーザのユーザ情報ＤＵとしてユーザ情報データベース２０１に記憶させる。
【００６４】
（ステップＳ１０４）献立選択部１０２は、対象ユーザに提示する献立情報ＤＭを、ユーザ情報データベース２０１から取得する。具体的には、献立選択部１０２は、ステップＳ１０１において取得した対象ユーザのユーザ識別情報ＵＩＤに基づいて、ユーザ情報データベース２０１を検索する。ユーザ情報データベース２０１には、対象ユーザのユーザ識別情報ＵＩＤと、ＤＮＡ情報ＤＤと、目標情報ＤＴとが対応付けられて、ユーザ情報ＤＵとして記憶されている。献立選択部１０２は、検索の結果得られたユーザ情報ＤＵを、対象ユーザのユーザ情報ＤＵとして取得する。献立選択部１０２は、取得したユーザ情報ＤＵを、提示部１０１２に対して出力する。
【００６５】
（ステップＳ１０５）提示部１０１２は、ステップＳ１０４において献立選択部１０２から出力されるユーザ情報ＤＵを取得する。提示部１０１２は、取得したユーザ情報ＤＵを、対象ユーザのユーザ情報ＤＵとして提示する。
【００６６】
［変形例］
上述した献立提案装置１の変形例について説明する。ここでは、上述した実施例（２）の場合の、献立提案装置１と料理提供装置３とを備える献立提案システムの機能構成の一例について説明する。
【００６７】
図１０は、実施形態における献立提案システムの機能構成の一例を示す図である。本変形例の献立提案装置１ａは送信部１０４を備えており、献立提案装置１ａと料理提供装置３とが通信可能である点において、上述した献立提案装置１と異なる。
【００６８】
献立提案装置１ａは、送信部１０４を備える。送信部１０４は、献立選択部１０２が生成した献立情報ＤＭを、料理提供装置３に対して送信する。
料理提供装置３は、例えば、複数の種類の調理済み料理のうち、献立情報が示す種類の料理を選択してユーザ２に提供する装置である。料理提供装置３は、受信部３００を備えている。受信部３００は、献立提案装置１の送信部１０４が送信する献立情報ＤＭを受信する。料理提供装置３は、受信部３００が献立提案装置１から受信した献立情報ＤＭに基づいた種類の料理をユーザ２に対して提供する。
なお、献立提案装置１ａと、料理提供装置３との間の通信方式は、無線通信であっても有線通信であってもよい。
【００６９】
［献立提案システムの動作］
図１１は、実施形態における献立提案システムの動作の一例を示す図である。なお、ステップＳ１０１からステップＳ１０４までの動作は、上述した献立提案装置１の動作と同様であるため、その説明を省略する。また、図９に示した献立提案装置１の動作では、ステップＳ１０５においてユーザ２に献立を提示するとして説明した。本変形例の献立提案システムの動作では、ステップＳ１０５に代えて（又は、ステップＳ１０５に加えて）、ステップＳ１０６及びステップＳ２０１〜ステップＳ２０３を有する。
【００７０】
（ステップＳ１０６）送信部１０４は、献立選択部１０２が生成した対象ユーザの献立情報ＤＭを、料理提供装置３に対して送信する。
【００７１】
（ステップＳ２０１）受信部３００は、送信部１０４が送信する献立情報ＤＭを受信する。
（ステップＳ２０２）料理提供装置３は、受信部３００が受信した献立情報ＤＭに基づいて、あらかじめ用意された複数の種類の料理の中から、対象ユーザに提供する料理を選択する。
（ステップＳ２０３）料理提供装置３は、ステップＳ２０２にて選択された料理をユーザ２に対して提供する。ユーザ２は、料理提供装置３により提供された料理を受け取る。
なお、ここでは料理提供装置３は、あらかじめ用意された複数の種類の料理の中から、提供する料理を選択することにより、料理を提供するものとして説明するが、この限りではない。料理提供装置３は、受信部３００が受信した献立情報ＤＭに基づいて、食材を選択し、選択した食材を調理することにより、料理を提供するものであってもよい。
【００７２】
［実施形態のまとめ］
以上説明したように、ユーザ２のＤＮＡに含まれる塩基配列の出現パターンはユーザ２の体質等を示しているため、ユーザ２に提案する献立の指標となる。献立提案装置１は、ユーザ２のＤＮＡに含まれる塩基配列の出現パターンに基づいて、ユーザ２の体質に適合した献立を提案する。このように、献立提案装置１（又は献立提案装置１ａ。以下の説明において同じ。）は、ユーザ毎に、ユーザの状況に応じた献立を提案することができる。
ここで、ユーザ２のＤＮＡに含まれる塩基配列の出現パターンは、ユーザ２ごとに異なる場合がある。したがって、ユーザ２の体質に適合した献立を提供する場合において、ユーザ２のＤＮＡに含まれる塩基配列の出現パターンをそのまま記憶してしまうと、記憶すべき情報量が多くなってしまうという問題が生じる。
本実施形態の献立提案装置１は、ユーザ２のＤＮＡに含まれる塩基配列の出現パターンを数種類（例えば、３２種類）のＤＮＡ型として記憶させるため、記憶すべき情報量を低減することができる。
【００７３】
また、本実施形態の献立提案装置１は、ＤＮＡ情報ＤＤに加えて、目標情報ＤＴに基づいて献立を提案する。ここで、目標情報ＤＴとは、ユーザ２の目標を示す情報である。
例えば、ユーザ２の目標が”マラソン選手”である場合には、献立提案装置１は、体重の増加を抑える目的でカロリーの低い献立を提案する。また、ユーザ２の目標が”マラソン選手”である場合には、献立提案装置１は、速筋よりも遅筋が付きやすい食材を含む献立を提案する。
【００７４】
なお、本実施形態の一例では、献立提案装置１は、ＤＮＡ情報ＤＤから、所定因子に対する強度の程度情報に基づいて献立を提案しているが、これに限られない。例えば、ＤＮＡに含まれる塩基配列の出現パターンは、筋量や筋持久力、瞬発的運動能力、ジャンプ力等の特性を示すことが知られている。献立提案装置１は、ＤＮＡ情報ＤＤに基づいて、筋量や筋持久力、瞬発的運動能力、ジャンプ力等の特性に基づいて、献立を提案してもよい。
【００７５】
また、上述した献立提案装置１は、ユーザ情報管理部２００によって管理されているユーザ情報ＤＵを、献立管理部１００が取得することにより、ユーザ２ごとの献立を提案する構成であるとして説明したが、これに限られない。
献立提案装置１は、ユーザ２のＤＮＡ情報ＤＤ及び目標情報ＤＴを、要求取得部１０１１を介してユーザ２から直接的に取得する構成であってもよい。例えば、要求取得部１０１１は、カードリーダを備えており、ユーザ２がかざすユーザ識別カードの情報を読みとる。このユーザ識別カードには、ユーザ２のＤＮＡ情報ＤＤ及び目標情報ＤＴが記憶されており、要求取得部１０１１は、ユーザ識別カードからユーザ２のＤＮＡ情報ＤＤ及び目標情報ＤＴを取得する。このように構成された献立提案装置１によれば、ユーザ情報管理部２００を備えていない場合であっても、ユーザ２に対してユーザ２のＤＮＡ型及び目標に適合した献立を提案することができる。
【００７６】
また、要求取得部１０１１は、ユーザ２を識別しなくてもよい。例えば、要求取得部１０１１は、ＤＮＡ型をそれぞれ示す複数の操作ボタンを備えていてもよい。一例として、要求取得部１０１１は、１型〜３２型のＤＮＡ型を示す３２個の操作ボタンを備えており、ユーザ２がいずれの操作ボタンを操作したかによって、ユーザ２のＤＮＡ型を判別してもよい。また、要求取得部１０１１は、”マラソン選手”や”野球選手”などの目標ごとに操作ボタンを備えていてもよい。この場合には、要求取得部１０１１は、ユーザ２がいずれの操作ボタンを操作したかによって、ユーザ２の目標を判別してもよい。
【００７７】
また、献立提案装置１は、ユーザ２に対する献立の提案履歴の記憶ができるように構成されていてもよい。このように構成された献立提案装置１によれば、過去に提案した献立を記憶し、過去に提案したことがない新たな献立を提案することできる。また、献立提案装置１は、献立を提示した日付を記憶してもよい。このように構成された献立提案装置１によれば、献立を提示した日付に基づいて、過去に提案した献立が再び提案されるまでの間隔を管理することができる。
【００７８】
以上、本発明を実施するための形態について実施形態を用いて説明したが、本発明はこうした実施形態に何ら限定されるものではなく、本発明の趣旨を逸脱しない範囲内において種々の変形及び置換を加えることができる。
【符号の説明】
【００７９】
１…献立提案装置、１００…献立管理部、１０１…ユーザインタフェース部、１０１１…要求取得部、１０１２…提示部、１０２献立選択部、１０３…献立データベース、１０４…送信部、２００…ユーザ情報管理部、２０１…ユーザ情報データベース、２０２…ユーザ情報生成部、２０３…分類部、２０３１…分類データベース、２０３２…分類判定部、２０４…ユーザ情報取得部、２０４１…ＤＮＡ情報取得部、２０４２…目標情報取得部
【図１】
2020184188.tif 000003
【図２】
2020184188.tif 000004
【図３】
2020184188.tif 000005
【図４】
2020184188.tif 000006
【図５】
2020184188.tif 000007
【図６】
2020184188.tif 000008
【図７】
2020184188.tif 000009
【図８】
2020184188.tif 000010
【図９】
2020184188.tif 000011
【図１０】
2020184188.tif 000012
【図１１】
2020184188.tif 000013